【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
重量計量方式と体積計量方式とを併用したディスペンサシステムにおいて、
秤量装置を備え、該秤量装置はコントローラに接続されており、
前記コントローラは複数のバルブと複数の添加材料用ポンプとに接続されており、
ベース材料を貯留する複数のベース材料リザーバを備え、前記複数のベース材料リザーバの各々が前記複数のバルブの１つずつに接続され、且つ、前記複数のバルブの各々が前記複数のベース材料リザーバの１つずつに接続されており、
添加材料を貯留する複数の添加材料リザーバを備え、前記複数の添加材料リザーバの各々が前記複数の添加材料用ポンプの１つずつに接続され、且つ、前記複数の添加材料用ポンプの各々が前記複数の添加材料リザーバの１つずつに接続されており、
前記複数のバルブの各々が取付けられると共に複数のノズルが取付けられたマニホルドを備え、前記複数のノズルの各々が前記複数の添加材料用ポンプの１つずつに接続され、且つ、前記複数の添加材料用ポンプの各々が前記複数のノズルの１つずつに接続されており、
前記複数のベース材料は、前記秤量装置から前記コントローラへ送出される信号及び前記コントローラから前記複数のバルブへ送出される信号に基づいて、シーケンシャルに、且つ、重量計量方式で計量供給されるようにしてあり、
前記複数の添加材料は、前記コントローラが前記複数の添加材料用ポンプを制御することにより、体積計量方式で計量供給されるようにしてある、
ことを特徴とするディスペンサシステム。
【請求項２】
複数のベース材料ポンプを更に備え、前記複数のベース材料リザーバの各々が前記複数のベース材料ポンプの１つずつに接続され、且つ、前記複数のベース材料ポンプの各々が前記複数のベース材料リザーバの１つずつに接続されており、これによって、前記複数のベース材料の各々が、当該ベース材料に対応した前記バルブへ圧送されるようにしてあることを特徴とする請求項１記載のディスペンサシステム。
【請求項３】
前記コントローラに接続されると共に前記複数のベース材料ポンプの各々に接続された比例制御コントローラを更に備え、前記コントローラから前記比例制御コントローラへ、前記複数のベース材料ポンプの各々の出力を制御するための信号を送出するようにしてあることを特徴とする請求項２記載のディスペンサシステム。
【請求項４】
前記コントローラが、前記比例制御コントローラへ信号を送出することによって、前記複数のベース材料ポンプのうちの１つのベース材料ポンプの出力を増減するようにしてあり、この出力の増減は前記コントローラが前記秤量装置から受取る信号に応じて行われ、前記秤量装置から受取るこの信号は、特定のベース材料がそのベース材料に対応した２段階バルブを通過して流れた量を示す信号であることを特徴とする請求項３記載のディスペンサシステム。
【請求項５】
前記複数のベース材料リザーバの各々が夫々に異なるベース材料を貯留していることを特徴とする請求項１記載のディスペンサシステム。
【請求項６】
前記複数の添加材料リザーバの各々が夫々に異なる添加材料を貯留していることを特徴とする請求項１記載のディスペンサシステム。
【請求項７】
前記複数のバルブが同心円状に配列されて前記マニホルドに取付けられており、前記複数のバルブの各々は、その流出口が、下方へ向けられ、且つ、前記マニホルド上における前記複数のバルブの同心円状の配列の中心軸線へ向けられていることを特徴とする請求項１記載のディスペンサシステム。
【請求項８】
前記マニホルドが、前記中心軸線上に位置する中心開口を有しており、該中心開口に、複数の穴を有する穴あきブロックが嵌合され、それら複数の穴の各々に複数のノズルが１つずつ嵌合されており、前記複数のノズルの各々が前記複数の添加材料用ポンプの１つずつに接続され、且つ、前記複数の添加材料用ポンプの各々が前記複数のノズルの１つずつに接続されていることを特徴とする請求項７記載のディスペンサシステム。
【請求項９】
前記秤量装置が、ベース材料及び添加材料が投入される容器を支持する水平載置面を備えており、該水平載置面に、様々な寸法の容器を前記マニホルドの下方において中心合わせするための位置決め部が設けられていることを特徴とする請求項１記載のディスペンサシステム。
【請求項１０】
バルブの各々が２段階バルブであって、該２段階バルブが、
シリンダを備え、該シリンダは、その第１端が流出口に接続し、その第２端がアクチュエータに連結され、前記第１端と前記第２端との間に流入口を有しており、該流入口は、前記複数のベース材料リザーバのうちの当該２段階バルブに対応した１つのベース材料リザーバに接続されており、
前記アクチュエータは、ロッドの第１端に結合されており、該ロッドの第２端は低流量プラグとして機能するようにしてあり、
前記ロッドは、前記アクチュエータと前記低流量プラグとの間に配設された第１スプリングの中を摺動可能に貫通して延在しており、
前記ロッドは更に、前記第１スプリングと前記低流量プラグとの間に配設された第１スリーブの中を摺動可能に貫通して延在しており、
前記第１スリーブの第１端は前記第１スプリングに係合しており、前記第１スリーブの第２端は第２スプリングに係合しており、前記第１スリーブの前記第２端は更に、第２スリーブに結合されており、
前記第２スリーブは前記第１スリーブを環状高流量プラグに連結しており、
前記第２スプリングは前記第１スリーブと固定環状リテーナとの間に保持されており、
前記ロッドは更に、前記第２スプリング及び前記第２スリーブの中を摺動可能に貫通して延在しており、また、前記固定環状リテーナの中を貫通して延在しており、ただし前記固定環状リテーナには固定結合されており、
前記環状リテーナは、その第１端が前記第１スリーブの前記第２端に対向しており、その第２端が前記第２スプリングを支持しており、
閉弁状態にあるときには、前記第１スプリングが、該第１スプリングの前記第１スリーブに対する付勢圧力によって、前記ロッドの前記低流量プラグ並びに前記環状高流量プラグを前記流出口に封止当接させており、
前記閉弁状態から低流量状態へ移行させる際に、前記アクチュエータが、前記ロッドを前記流出口から引き離すことにより、前記環状リテーナの前記第１端を前記第１スリーブへ近付く方向へ移動させると共に、前記ロッドの前記低流量プラグ部分を移動させて該低流量プラグ部分と前記環状高流量プラグとの封止当接を解除し、
前記低流量状態から高流量状態へ移行させる際に、前記アクチュエータが前記ロッドを前記流出口から離れる方向へ更に移動させることにより、前記環状リテーナの前記第１端を前記第１スリーブの前記第２端に当接させ、そして、前記第１スプリングの付勢圧力に抗して前記第１スリーブが前記第２スリーブ及び前記高流量環状プラグを前記流出口から引き離すようにしてある、
ことを特徴とする請求項１記載のディスペンサシステム。
【請求項１１】
前記２段階バルブが、前記高流量状態から閉弁する際に先ず前記低流量状態へ移行し、しかる後に前記閉弁状態へ移行するようにしてあることを特徴とする請求項１０記載のディスペンサシステム。
【請求項１２】
前記複数のベース材料リザーバが、前記マニホルドから１５フィート（４．５ｍ）以上離して配設されており、前記複数のニューテート型ポンプが、前記マニホルドから１０フィート（３．０ｍ）以内に配設されていることを特徴とする請求項１記載のディスペンサシステム。
【請求項１３】
前記ディスペンサシステムが、少なくとも５個の前記ベース材料リザーバと、少なくとも５個の前記２段階バルブと、少なくとも１０個の前記添加材料リザーバと、少なくとも１０個の前記ニューテート型ポンプとを備えていることを特徴とする請求項１記載のディスペンサシステム。
【請求項１４】
前記複数のベース材料が、塗料のベース材料であり、前記複数の添加材料が、塗料の着色剤であり、前記ディスペンサシステムが、塗料ディスペンサであることを特徴とする請求項１記載のディスペンサシステム。
【請求項１５】
複数のベース材料と複数の着色剤とを含有する塗料調合物を単一のディスペンサ装置を用いて容器内にて調合する方法において、
秤量装置上に容器を載置し、
前記複数のベース材料のうちの１つまたは幾つかのベース材料を、前記容器の中へ重量計量方式で計量供給し、
前記複数の着色剤を、前記容器の中へ体積計量方式で計量供給し、
前記複数のベース材料のうちの残りのベース材料を、前記容器の中へ重量計量方式で計量供給する、
ことを特徴とする方法。
【請求項１６】
前記ベース材料及び前記添加材料の前記計量供給を、請求項１記載のディスペンサシステムにより実行することを特徴とする請求項１５記載の方法。
【請求項１７】
１つまたは複数の更なる成分材料を手作業で前記容器内へ投入することを特徴とする請求項１５記載の方法。
【請求項１８】
複数のベース材料と複数の添加材料とを含有する調合物を単一のディスペンサ装置を用いて容器内にて調合する方法において、
秤量装置上に容器を載置し、
前記複数のベース材料のうちの１つまたは幾つかのベース材料を、前記容器の中へ重量計量方式で計量供給し、
前記複数の添加材料を、前記容器の中へ体積計量方式で計量供給し、
前記複数のベース材料のうちの残りのベース材料を、前記容器の中へ重量計量方式で計量供給する、
ことを特徴とする方法。
【請求項１９】
前記ベース材料及び前記添加材料の前記計量供給を、請求項１記載のディスペンサシステムにより実行することを特徴とする請求項１８記載の方法。
【請求項２０】
１つまたは複数の更なる成分材料を手作業で前記容器内へ投入することを特徴とする請求項１８記載の方法。
【請求項２１】
前記調合物が化粧品であることを特徴とする、請求項１８記載の方法。